(57)【要約】【課題】製品の厚みが薄くセグメント領域の明るさの均一化が図れるセグメント表示装置を提供することを目的とする。【解決手段】複数のセグメント領域の組み合わせによって表示パターンを照光可能なセグメント表示装置において、セグメント領域に対応して設けられるとともに、基台に支持された光源と、調光パターンを有する光量調整シートと、光量調整シートと離間して対向配置される透光性の透過散乱層と、基台と光量調整シートとの間に配置される第１保持部材と、光量調整シートと透過散乱層との間に配置され第２開口部を有する第２保持部材と、を備え、光量調整シートがベースシートと光通過部とを有し、調光パターンが光源から透過散乱層側へ向かう光を制限する遮光部と、反射光と透過光の双方を散乱させる散乱半透過層と、を構成し、第１保持部材には、散乱半透過層で反射散乱された光を第２開口部側へ導く反射部が設けられていることを特徴としている。【選択図】図８
2014026065.tif 000002
【特許請求の範囲】
【請求項１】
複数のセグメント領域の組み合わせによって文字や記号、絵柄等の表示パターンを照光表示可能なセグメント表示装置において、
前記セグメント領域に対応して設けられるとともに、基台に支持された光源と、
該光源と離間して対向配置されるとともに調光パターンを有する光量調整シートと、
該光量調整シートを挟んで前記光源とは反対側の位置に設けられるとともに、前記光量調整シートと離間して対向配置される透光性の透過散乱層と、
前記基台と前記光量調整シートとの間に配置されるとともに、前記光源からの光が通過する第１開口部を有して前記光源を収容する第１保持部材と、
前記光量調整シートと前記透過散乱層との間に配置されるとともに、前記第１開口部に対応する第２開口部が設けられ前記光量調整シートを通過した光を前記透過散乱層側に導く第２保持部材と、を備え、
前記光量調整シートは、ベースシートと、
前記光源に対応して前記ベースシートに設けられ、前記調光パターンを構成するとともに、前記光源から前記透過散乱層側へ向かう光を制限する遮光部と、
前記調光パターンを構成するとともに、前記遮光部よりも前記光源側に位置するように前記ベースシートに設けられ、反射光と透過光の双方を散乱させる散乱半透過層と、
前記ベースシートに設けられ、前記光源からの光が通過するとともに、前記散乱半透過層の外側に位置する光通過部と、を有し、
前記第１保持部材には、前記散乱半透過層で反射散乱された光を前記第２開口部側へ導く反射部が設けられていることを特徴とするセグメント表示装置。
【請求項２】
前記ベースシートは、透光性を有する材料からなり、前記ベースシートが前記光通過部を構成していることを特徴とする請求項１に記載のセグメント表示装置。
【請求項３】
前記遮光部及び前記散乱半透過層が、前記ベースシートの一面側に形成されていることを特徴とする請求項２に記載のセグメント表示装置。
【請求項４】
前記第１保持部材は、光を反射する白色で形成されており、
前記第１保持部材には、前記光源から前記ベースシートに向けて前記第１開口部の長手方向に沿った斜面が設けられているとともに、前記長手方向と直交した方向で対向する壁面が設けられていることを特徴とする請求項１ないし請求項３のいずれかに記載のセグメント表示装置。
【請求項５】
前記第１保持部材の上面と対向する部分の前記ベースシートには、遮光層が設けられていることを特徴とする請求項１ないし請求項４のいずれかに記載のセグメント表示装置。
【請求項６】
前記第２保持部材は、前記複数のセグメント領域同士を分割するとともに遮光性を有する壁部を備えていることを特徴とする請求項１ないし請求項５のいずれかに記載のセグメント表示装置。
【請求項７】
前記第１保持部材と前記第２保持部材とのいずれか一方が突部を有するとともに、
前記第１保持部材と前記第２保持部材とのいずれか他方に、前記突部が挿通される孔部を有し、
前記孔部に挿通された前記突部が変形させられることにより、前記ベースシートを挟んだ状態で前記第１保持部材と前記第２保持部材とが一体化されていることを特徴とする請求項１ないし請求項６のいずれかに記載のセグメント表示装置。
【発明の詳細な説明】
【技術分野】
【０００１】
本発明は、電子機器等に用いられるセグメント表示装置に関する。
【背景技術】
【０００２】
各種電子機器等において、複数のセグメント領域の組み合わせによって、文字や記号、絵柄等を表示可能なセグメント表示装置が一般的に用いられている。最近のセグメント表示装置には、セグメント領域内にＬＥＤ(Light Emitting Diode)光源を配設し、ＬＥＤ光源の直上にセグメント表示部を設けている場合が多い。
【０００３】
このセグメント表示装置の従来技術として、特許文献１では、図１９に示すように、ＬＥＤ光源（チップＬＥＤ９０３）を用いたセグメント表示装置（７セグメントＬＥＤ９００）が提案されている。図１９は、従来例の７セグメントＬＥＤ９００を説明する図であって、図１９（ａ）は、７セグメントＬＥＤ９００の分解斜視図であり、図１９（ｂ）は、７セグメントＬＥＤ９００の上面図であり、図１９（ｃ）は、図１９（ｂ）に示すＩ−Ｉ線における断面図である。図１９に示す７セグメントＬＥＤ９００は、チップＬＥＤ９０３がプリント基板９０２上に表面実装され、７セグメントで数字が表示されるように所定の位置に配置されるとともに、セグメント領域を形成し両端が開口した導光孔９０４を有するハウジング９０５がプリント基板９０２上に載置されている。そして、セグメント領域に対応した半透明窓９０９を有した拡散シート９０６が、ハウジング９０５の表面に貼着され、チップＬＥＤ９０３からの光を拡散させるように配置されている。このような７セグメントＬＥＤ９００の構造によれば、所望の表示となるように所定箇所のチップＬＥＤ９０３を点灯させると、チップＬＥＤ９０３からの光が導光孔９０４の下部開口部９０４ｂを通過して、上部開口部９０４ａから拡散シート９０６の半透明窓９０９を透過することにより、アラビア数字がユーザにより視認されることになる。
【先行技術文献】
【特許文献】
【０００４】
【特許文献１】実開平７−２３３７８号公報
【発明の概要】
【発明が解決しようとする課題】
【０００５】
しかしながら、従来例のような構成では、セグメント表示がされる半透明窓９０９の直下に配置されたチップＬＥＤ９０３の光を導光孔９０４が直接的に導く構成のため、チップＬＥＤ９０３の直上にあたる領域が他の領域に対して明るくなってしまうと言った問題があった。このセグメント領域における明るさのムラを低減するための一つの方法として、チップＬＥＤ９０３と拡散シート９０６との間に薄いシート状の光拡散部材を設ける構成を試みたが、その効果は小さかった。一方、光拡散部材のシートの厚みを相当量厚くすると、その効果は得られたが、拡散シート９０６に到達する光量が相当量落ちてしまい、セグメント領域における明るさが得られなくなった。他に、チップＬＥＤ９０３と半透明窓９０９との距離を相当量離す構成を試みて、良い効果が得られたが、製品自体の厚みが厚くなり、軽薄短小が求められる電子機器等に適用することができないと言う課題があった。
【０００６】
本発明は、上述した課題を解決するもので、製品の厚みが薄くセグメント領域の明るさの均一化が図られるセグメント表示装置を提供することを目的とする。
【課題を解決するための手段】
【０００７】
この課題を解決するために、本発明のセグメント表示装置は、複数のセグメント領域の組み合わせによって文字や記号、絵柄等の表示パターンを照光表示可能なセグメント表示装置において、前記セグメント領域に対応して設けられるとともに、基台に支持された光源と、該光源と離間して対向配置されるとともに調光パターンを有する光量調整シートと、該光量調整シートを挟んで前記光源とは反対側の位置に設けられるとともに、前記光量調整シートと離間して対向配置される透光性の透過散乱層と、前記基台と前記光量調整シートとの間に配置されるとともに、前記光源からの光が通過する第１開口部を有して前記光源を収容する第１保持部材と、前記光量調整シートと前記透過散乱層との間に配置されるとともに、前記第１開口部に対応する第２開口部が設けられ前記光量調整シートを通過した光を前記透過散乱層側に導く第２保持部材と、を備え、前記光量調整シートは、ベースシートと、前記光源に対応して前記ベースシートに設けられ、前記調光パターンを構成するとともに、前記光源から前記透過散乱層側へ向かう光を制限する遮光部と、前記調光パターンを構成するとともに、前記遮光部よりも前記光源側に位置するように前記ベースシートに設けられ、反射光と透過光の双方を散乱させる散乱半透過層と、前記ベースシートに設けられ、前記光源からの光が通過するとともに、前記散乱半透過層の外側に位置する光通過部と、を有し、前記第１保持部材には、前記散乱半透過層で反射散乱された光を前記前記第２開口部側へ導く反射部が設けられていることを特徴としている。
【０００８】
これによれば、本発明のセグメント表示装置は、光量調整シートに設けられた調光パターンにより、光源からの光が遮蔽、透過、反射或いは散乱され、しかも反射或いは散乱された光を第１保持部材の反射部により光量調整シート側へ再び導くようにしている。このため、特に光源の上部に対応する部分の光の透過が弱められ、光源からの光が調光されて、第２保持部材側に導かれるようになる。このことにより、第２開口部から透過散乱層を透過して、透過散乱層の上面側に位置する表示部（表示パネル）に到達するセグメント領域の光がより均一なものとなる。したがって、従来例と比較して、光源と表示部（表示パネル）との距離が短いにも関わらず、表示部（表示パネル）の明るさのムラを低減することができ、製品の厚みが薄くセグメント領域の明るさの均一化が図られるセグメント表示装置を提供することができる。
【０００９】
また、本発明のセグメント表示装置は、前記ベースシートが、透光性を有する材料からなり、前記ベースシートが前記光通過部を構成していることを特徴としている。
【００１０】
これによれば、ベースシートが透光性を有して光通過部を構成しているので、調光パターンが設けられた部分以外を透過する光は、光通過部を介して第２保持部材側に導かれるようになる。このため、第２開口部から透過散乱層を透過して表示部（表示パネル）に到達するセグメント領域の光量を多くすることができる。このことにより、セグメント表示装置のそれぞれのセグメントの視認性を向上させることができる。
【００１１】
また、本発明のセグメント表示装置は、前記遮光部及び前記散乱半透過層が、前記ベースシートの一面側に形成されていることを特徴としている。
【００１２】
これによれば、遮光部及び散乱半透過層を、ベースシートの片側主面に形成するので、遮光部及び散乱半透過層を作製する際に、ベースシートを反転することなしに、片側から加工（印刷等）することができる。このことにより、セグメント表示装置の製造を容易にすることができる。
【００１３】
また、本発明のセグメント表示装置は、前記第１保持部材が、光を反射する白色で形成されており、前記第１保持部材には、前記光源から前記ベースシートに向けて前記第１開口部の長手方向に沿った斜面が設けられているとともに、前記長手方向と直交した方向に対向する壁面が設けられていることを特徴としている。
【００１４】
これによれば、光源からベースシートに向けて長手方向に沿った斜面と、長手方向と直交した方向に対向する壁面とを設けた第１保持部材なので、第１保持部材で反射させる光を効率よく長手方向に導くことができる。特に、第１保持部材は、光を反射する白色で形成されているので、光をより効率よく反射することができる。このため、セグメント領域の周辺部分の光量を増加させることができる。このことにより、第２開口部から透過散乱層を透過して表示部（表示パネル）に到達するセグメント領域の光がより一層均一なものとすることができる。
【００１５】
また、本発明のセグメント表示装置は、前記第１保持部材の上面と対向する部分の前記ベースシートには、遮光層が設けられていることを特徴としている。
【００１６】
これによれば、ベースシートの第１保持部材の上面と対向する部分には、遮光層が設けられているので、遮光層が設けられた部分、つまり複数のセグメント領域を分けているベースシートの部分に対して、１つのセグメント領域からの光が、他のセグメント領域に漏れようとしても、この遮光層により遮光される。このことにより、隣り合うセグメント領域への光のお互いの漏れを防止することがで、セグメント領域の光量をより一層多くすることができるとともに、セグメント表示装置のそれぞれのセグメントの視認性をより向上させることができる。
【００１７】
また、本発明のセグメント表示装置は、前記第２保持部材が、前記複数のセグメント領域同士を分割するとともに遮光性を有する壁部を備えていることを特徴としている。
【００１８】
これによれば、第２保持部材が複数のセグメント領域同士を分割する壁部を有し、この壁部が遮光性を有しているので、光量調整シートを透過してきた全ての光が、他のセグメント領域に漏れることがなく、透過散乱層側に導かれるようになる。このことにより、セグメント領域の光量をより一層多くすることができる。
【００１９】
また、本発明のセグメント表示装置は、前記第１保持部材と前記第２保持部材とのいずれか一方が突部を有するとともに、前記第１保持部材と前記第２保持部材とのいずれか他方に、前記突部が挿通される孔部を有し、前記孔部に挿通された前記突部が変形させられることにより、前記ベースシートを挟んだ状態で前記第１保持部材と前記第２保持部材とが一体化されていることを特徴としている。
【００２０】
これによれば、突部が孔部に挿通された後、突部が変形させられることにより、第１保持部材と第２保持部材とが一体化されているので、第１保持部材と第２保持部材とでベースシートを確実にしかも強く挟み込むことができる。このことにより、第１保持部材と第２保持部材との間から光が漏れることを低減することができ、隣り合うセグメント領域への光のお互いの漏れをより防止することができる。
【発明の効果】
【００２１】
本発明のセグメント表示装置は、光量調整シートに設けられた調光パターンにより、光源からの光が遮蔽、透過、反射或いは散乱され、しかも反射或いは散乱された光を第１保持部材の反射部により光量調整シート側へ再び導くようにしている。このため、特に光源の上部に対応する部分の光の透過が弱められ、光源からの光が調光されて、第２保持部材側に導かれるようになる。このことにより、第２開口部から透過散乱層を透過して、透過散乱層の上面側に位置する表示部（表示パネル）に到達するセグメント領域の光がより均一なものとなる。
【００２２】
したがって、従来例と比較して、光源と表示部（表示パネル）との距離が短いにも関わらず、表示部（表示パネル）の明るさのムラを低減することができ、製品の厚みが薄くセグメント領域の明るさの均一化が図られるセグメント表示装置を提供することができる。
【図面の簡単な説明】
【００２３】
【図１】本発明の第１実施形態のセグメント表示装置を説明する分解斜視図である。
【図２】本発明の第１実施形態のセグメント表示装置を説明する図であって、図１に示すＺ１側から見た上面図である。なお説明を容易にするため、透過散乱層は省略している。
【図３】本発明の第１実施形態のセグメント表示装置を説明する図であって、図２において、第２保持部材を省略した上面図である。
【図４】本発明の第１実施形態のセグメント表示装置を説明する図であって、図３において、光量調整シートを省略した上面図である。
【図５】本発明の第１実施形態のセグメント表示装置を説明する構成図であって、図２に示すＶ−Ｖ線における断面図である。
【図６】本発明の第１実施形態のセグメント表示装置を説明する構成図であって、図２に示すＶＩ−ＶＩ線における断面図である。
【図７】本発明の第１実施形態のセグメント表示装置を説明する構成図であって、図２に示すＶＩＩ−ＶＩＩ線における断面図である。
【図８】本発明の第１実施形態における１つのセグメント領域を説明する模式図であって、その断面図である。
【図９】本発明の第１実施形態における光量調整シートの調光パターンを説明する模式図であって、その底面図である。
【図１０】本発明の第１実施形態における１つのセグメント領域を説明する模式図であって、図８に示す断面図における光の軌跡の一例を示した図である。
【図１１】本発明の第１実施形態のセグメント表示装置を説明する構成図であって、図２に示すＸＩ−ＸＩ線における断面図である。
【図１２】本発明の第２実施形態における１つのセグメント領域を説明する模式図であって、その断面図である。
【図１３】本発明の第２実施形態における光量調整シートの調光パターンを説明する模式図であって、その底面図である。
【図１４】本発明の第２実施形態における１つのセグメント領域を説明する模式図であって、図８に示す断面図における光の光路の一例を示した図である。
【図１５】本発明の第１実施形態のセグメント表示装置の変形例を説明する断面模式図であって、図８に示す１つのセグメント領域に対応した変形例１である。
【図１６】本発明の第１実施形態のセグメント表示装置の変形例を説明する断面模式図であって、図８に示す１つのセグメント領域に対応した変形例２である。
【図１７】本発明の第１実施形態のセグメント表示装置の変形例を説明する底面模式図であって、図１７（ａ）は、図９に対応した変形例３であり、図１７（ｂ）は、図９に対応した変形例４であり、図１７（ｃ）は、図９に対応した変形例５である。
【図１８】本発明の実施形態のセグメント表示装置の変形例９を説明する図であって、１つのセグメント領域の断面模式図である。
【図１９】従来例の７セグメントＬＥＤを説明する図であって、図１９（ａ）は、７セグメントＬＥＤの分解斜視図であり、図１９（ｂ）は、７セグメントＬＥＤの上面図であり、図１９（ｃ）は、図１９（ｂ）に示すＩ−Ｉ線における断面図である。
【発明を実施するための形態】
【００２４】
以下、本発明の実施の形態について図面を参照して説明する。
【００２５】
［第１実施形態］
図１は、本発明の第１実施形態のセグメント表示装置１０１を説明する分解斜視図である。図２は、本発明の第１実施形態のセグメント表示装置１０１を説明する図であって、図１に示すＺ１側から見た上面図である。なお説明を容易にするため、透過散乱層１４は省略している。図３は、本発明の第１実施形態のセグメント表示装置を説明する図であって、図２において、第２保持部材１２を省略した上面図である。図４は、本発明の第１実施形態のセグメント表示装置を説明する図であって、図３において、光量調整シート１３を省略した上面図である。図５は、本発明の第１実施形態のセグメント表示装置１０１を説明する構成図であって、図２に示すＶ−Ｖ線における断面図である。図６は、本発明の第１実施形態のセグメント表示装置１０１を説明する構成図であって、図２に示すＶＩ−ＶＩ線における断面図である。図７は、本発明の第１実施形態のセグメント表示装置１０１を説明する構成図であって、図２に示すＶＩＩ−ＶＩＩ線における断面図である。
【００２６】
本発明の第１実施形態のセグメント表示装置１０１は、図１ないし図４に示すように、複数のセグメント領域ＡＳを有し、１つのセグメント領域ＡＳには、図５ないし図７に示すように、基台１９に支持された光源５５と、光源５５と離間して対向配置される光量調整シート１３と、第１開口部１１ｋを有して光源５５を収容する第１保持部材１１と、第１開口部１１ｋに対応する第２開口部１２ｋが設けられた第２保持部材１２と、光量調整シート１３と離間して対向配置される透過散乱層１４と、を備えて構成される。そして、矩形状（長方形状）をなした、これらセグメント領域ＡＳの組み合わせによって、文字や記号、絵柄等の表示パターンを照光表示できるようにしている。実際にセグメント表示を行う電子機器等に適用する場合、図示はしていないが、透過散乱層１４の上方に表示部（表示パネル）を設ける。なお、図２に示すように、第１実施形態においては、２桁の小さい数字等を表示可能な第１表示領域ＤＳ１と、第１表示領域ＤＳ１よりも大きな２桁の数字等を表示可能な第２表示領域ＤＳ２とを備えている。
【００２７】
先ず、光源５５は、上面発光方式のチップ形のＬＥＤ（発光ダイオード、Light Emitting Diode）を用いており、図５ないし図７に示すように、プリント配線板（ＰＣＢ）等の基台１９に搭載され、はんだ付け等により、基台１９に固定支持されている。また、光源５５は、第１表示領域ＤＳ１においては、１つのセグメント領域ＡＳの中央に１つずつ設けられている（図６参照）。これに対し、第２表示領域ＤＳ２においては、図７に示すように、１つのセグメント領域ＡＳに長手方向ＲＤに離間して、２つの光源５５が配設されている。
【００２８】
次に、光量調整シート１３は、図５ないし図７に示すように、透明で透光性を有する材料からなるベースシート１３ｆと、ベースシート１３ｆの一面側（下面側）に形成され光源５５に対応して設けられた調光パターンＰＥ１と、ベースシート１３ｆに設けられ光源５５からの光が通過する光通過部１３ｔと、を有して構成される。そして、この光量調整シート１３は、光源５５と離間して対向配置されている。また、ベースシート１３ｆの材質として、透光性を有するポリカーボネート樹脂（ＰＣ）等の合成樹脂を好適に用いた。このため、ベースシート１３ｆがそのまま光通過部１３ｔを構成するようになる。なお、合成樹脂材料として、ポリカーボネート樹脂を用いたが、これに限るものではなく、例えば透光性を有するアクリル樹脂、ポリウレタン樹脂やシリコーン樹脂等を用いても良い。
【００２９】
ここで、セグメント領域ＡＳについて、図８ないし図１０に示す模式図を用いて、詳細に説明を行う。図８は、本発明の第１実施形態における１つのセグメント領域ＡＳを説明する模式図であって、その断面図である。図９は、本発明の第１実施形態における光量調整シート１３の調光パターンＰＥ１を説明する模式図であって、図８に示すＺ２側から見た１つのセグメント領域ＡＳにおける光量調整シート１３の底面図である。図１０は、本発明の第１実施形態における１つのセグメント領域ＡＳを説明する模式図であって、図８に示す断面図における光の軌跡の一例を示した図である。なお、図８ないし図１０においては、第１表示領域ＤＳ１における１つのセグメント領域ＡＳについて示したものである。
【００３０】
調光パターンＰＥ１は、図８及び図１０に示すように、光源５５から透過散乱層１４側へ向かう光を制限する遮光部１６と、遮光部１６よりも光源５５側に配設され光源５５からの光を散乱させる散乱半透過層１７と、を備えて構成され、遮光部１６及び散乱半透過層１７が、ベースシート１３ｆの一面側（光源５５側）に形成されている。また、図９に破線で示すように、遮光部１６は、数十本の線状のパターンで構成され、中心が一番長い線状の形状をしており、左右に分かれるに従って、徐々に短くなる線状になっている。また、散乱半透過層１７は、遮光部１６を全て覆うようにして構成され、菱形のベタパターンになっている。なお、図示はしていないが、光源５５は遮光部１６の一番長い線状の形状の近傍の中心付近に対応して配置されている。なお、図示していないが、第２表示領域ＤＳ２における調光パターンは、図９に示す菱形の調光パターンＰＥ１を２つ並べたパターンとなっている。この場合、それぞれの菱形形状の中央部は、２つの光源５５と対応する位置に設けられている（図７参照）。
【００３１】
調光パターンＰＥ１の作製は、先ず、スクリーン印刷等の手法を用いて、カーボン等の粉末が含有されたインクをベースシート１３ｆの片側主面に塗布し、このインクを硬化させることにより、遮光部１６を形成する。次に、同じスクリーン印刷等の手法を用いて、二酸化チタン、二酸化ジルコニウム（ジルコニア）や炭酸カルシウム等の粉末が含有されたインクをベースシート１３ｆの片側主面に塗布し、このインクを硬化させることにより、散乱半透過層１７を形成する。これにより、遮光部１６及び散乱半透過層１７をベースシート１３ｆの片側主面に作製するので、ベースシート１３ｆを反転することなしに、片側から加工することができる。このことにより、セグメント表示装置１０１の製造を容易にすることができる。また、遮光部１６がカーボン等の粉末が含有されているので黒色に形成されるため、遮光部１６の遮光性が向上している。また、散乱半透過層１７が二酸化チタン等の粉末が含有されているので、白色で形成されるため、散乱半透過層１７の光散乱性が向上している。
【００３２】
以上のように構成された光量調整シート１３により、図１０に示すように、光源５５から放射された光の一部は、散乱半透過層１７で、散乱半透過層１７内を透過して散乱させられるとともに、光源５５側にも反射され、他の光の一部は、遮光部１６により遮蔽される。そして、散乱半透過層１７により散乱された散乱光の一部は、ベースシート１３ｆを透過して透過散乱層１４側へ放射されるとともに、基台１９や第１保持部材１１に反射して、散乱半透過層１７の外側に位置する光通過部１３ｔを透過して透過散乱層１４側へ放射される。なお、図示はしていないが、光源５５からの直接の光でない散乱光や反射光が、再び散乱半透過層１７や遮光部１６に到達した際は、同様にして、散乱或いは反射されて、上述したような軌跡を繰り返して、透過散乱層１４側へ放射される。
【００３３】
次に、第１保持部材１１は、図５ないし図７に示すように、基台１９と光量調整シート１３との間に配置され、基台１９と第１保持部材１１とで、光源５５を収容する空間を構成し、この空間の基台１９と対向する位置に、第１開口部１１ｋを有している。この第１開口部１１ｋは、光源５５からの光（透過光、反射光、拡散光及び直接光）が通過する部分にあたるが、図３に示すように、光量調整シート１３により覆われているので、光源５５からの光（透過光、反射光、拡散光及び直接光）の全ては、光量調整シート１３を透過して第２保持部材１２側に導かれる。
【００３４】
また、第１保持部材１１は、図１及び図４に示すように、複数のセグメント領域ＡＳが一体となったパネル状に形成されている。これにより、部品点数を大幅に減らすことができ、組み立てる際に、取り扱いがし易く、組立工数も減らすことができる。
【００３５】
また、第１保持部材１１には、図６及び図７に示すように、光源５５からベースシート１３ｆに向けて傾斜した斜面１１ｓが、第１開口部１１ｋの長手方向ＲＤ（図４に示す方向）に沿って設けられているとともに、図５に示すように、長手方向ＲＤと直交した方向、つまり短手方向ＳＤ（図４に示す方向）に、壁面１１ｐがそれぞれ対向して設けられている。また、第１保持部材１１には、図１、図３及び図４に示すように、突部１１ｔを有しており、組み立てられた際には、後述する第２保持部材１２の孔部１２ｒに挿通される。
【００３６】
また、本発明の第１実施形態では、第１保持部材１１は、光を反射する白色で形成されており、図５ないし図７に示すように、上述した空間を形成している第１保持部材１１の内壁（斜面１１ｓや壁面１１ｐ）が反射部となり、散乱半透過層１７で反射散乱された光を散乱反射し、第２開口部１２ｋ側へ導いている。また、第１保持部材１１に光源５５から第１保持部材１１に直接あたった光も散乱反射し、第２開口部１２ｋ側へ導いている。
【００３７】
第１保持部材１１の作製は、白色の粉末或いは顔料が含有した合成樹脂材を用い、射出成形により、容易に行うことができる。用いる合成樹脂材として、液晶ポリマー（ＬＣＰ）、ポリブチレンテレフタレート（ＰＢＴ）、ナイロン、アクリルニトリルブタジエン（ＡＢＳ）等を用いることができる。第１保持部材１１は、白色の粉末或いは顔料が含有した合成樹脂材を用いているので、白色に形成されている。
【００３８】
以上のように構成されたセグメント領域ＡＳでは、光量調整シート１３に設けられた調光パターンＰＥ１により、光源５５からの光が遮蔽、透過、反射或いは散乱され、しかも反射或いは散乱された光を、第１保持部材１１の斜面１１ｓや壁面１１ｐの反射部により、光量調整シート１３側へ再び導くようにしている。このため、光源５５からの光が調光されて、第２保持部材１２側に導かれるようになる。このことにより、特に光源５５の上部に対応する部分の光の透過が弱められ、第２保持部材１２側に導かれるセグメント領域ＡＳの光がより均一なものとなる。
【００３９】
また、図５ないし図８、及び図１０に示すように、光源５５からベースシート１３ｆに向けて長手方向ＲＤに沿った斜面１１ｓと、長手方向と直交した方向（短手方向）ＳＤに対向する壁面１１ｐとを設けた第１保持部材１１なので、第１保持部材１１で反射させる光を効率よく長手方向ＲＤに導くことができる。特に、第１保持部材１１は、光を反射する白色で形成されているので、光をより効率よく反射することができる。このため、セグメント領域ＡＳの周辺部分の光量を増加させることができる。このことにより、第２保持部材１２側に導かれるセグメント領域ＡＳの光がより一層均一なものとすることができる。
【００４０】
また、ベースシート１３ｆが透光性を有して、図５ないし図１０に示すように、光通過部１３ｔを構成しているので、調光パターンＰＥ１が設けられた部分以外を透過する光は、光通過部１３ｔを介して第２保持部材１２側に全て導かれるようになる。このことにより、第２保持部材１２側に導かれるセグメント領域ＡＳの光量をより多くすることができる。
【００４１】
また、図６ないし図８、及び図１０に示すように、第１保持部材１１の上面と対向する部分のベースシート１３ｆには、遮光層１８が設けられている。このため、遮光層１８が設けられた部分、つまり複数のセグメント領域ＡＳを分けているベースシート１３ｆの部分に対して、１つのセグメント領域ＡＳからの光が、他のセグメント領域ＡＳに漏れようとしても、この遮光層１８により遮光される。このことにより、隣り合うセグメント領域ＡＳへの光のお互いの漏れを防止することができ、セグメント領域ＡＳの光量をより一層多くすることができるとともに、セグメント表示装置１０１のそれぞれのセグメントの視認性をより向上させることができる。
【００４２】
また、本発明の第１実施形態では、遮光層１８として、前述した遮光部１６と同様な材質と同様な方法とで作製を行っている。このため、遮光部１６を作製する工程で遮光層１８を作製することができる。このことにより、セグメント表示装置１０１の製造コストを低減することができる。
【００４３】
次に、第２保持部材１２は、図５ないし図７に示すように、光量調整シート１３と透過散乱層１４との間に配置され、光量調整シート１３を透過してきた光を透過散乱層１４側に導いている。そして、この第２保持部材１２と光量調整シート１３とで空間を構成し、この空間の光量調整シート１３と対向する位置に、第２開口部１２ｋを有している。この第２開口部１２ｋは、光量調整シート１３を透過してきた透過光が通過する部分にあたるが、図１及び図１０に示すように、透過散乱層１４により覆われているので、この透過光の全ては、透過散乱層１４を透過して散乱され、図示していない表示部（表示パネル）側に導かれる。
【００４４】
また、第２保持部材１２は、図１及び図２に示すように、複数のセグメント領域ＡＳが一体となったパネル状に形成されている。これにより、部品点数を大幅に減らすことができ、組み立てる際に、取り扱いがし易く、組立工数も減らすことができる。
【００４５】
また、第２保持部材１２には、図１、図３及び図４に示すように、孔部１２ｒを有しており、組み立てられた際には、第１保持部材１１に設けられた突部１１ｔが挿入される。また、孔部１２ｒは、図１１に示すように、第１保持部材１１側に第１孔部１２１が形成され、第１孔部１２１より開口が大きい第２孔部１２２が、第１孔部１２１に繋がって図示していない表示部（表示パネル）側（図１１に示すＺ１側）に形成されている。
【００４６】
そして、図２に示す状態まで組み立てられた後に、図１１に示すように、第１保持部材１１に設けられた突部１１ｔの先端側を変形し、ベースシート１３ｆを挟んだ状態で、第１保持部材１１と第２保持部材１２とを一体化している。これにより、第１保持部材１１と第２保持部材１２とでベースシート１３ｆを確実にしかも強く挟み込むことができるので、第１保持部材１１と第２保持部材１２との間からの光の漏れを低減することができる。このことにより、隣り合うセグメント領域ＡＳへの光のお互いの漏れをより防止することができる。
【００４７】
また、本発明の第１実施形態では、第１保持部材１１の突部１１ｔの先端側を変形する際に、冷間かしめで変形を行っている。このことにより、工程が簡単で短く、セグメント表示装置１０１の製造コストを低減することができる。
【００４８】
また、セグメント表示装置１０１の組立の際に、第１保持部材１１の突部１１ｔに第２保持部材１２の孔部１２ｒを挿入するだけで、第１保持部材１１の第１開口部１１ｋと第２保持部材１２の第２開口部１２ｋとの位置あわせが容易である。
【００４９】
また、図６及び図７に示すように、第２保持部材１２が、複数のセグメント領域ＡＳ同士を分割する壁部１２ｗを備えており、この壁部１２ｗは、遮光性を有している。これにより、光量調整シート１３を透過してきた全ての光が、他のセグメント領域ＡＳに漏れることがなく、透過散乱層１４側に導かれるようになる。このことにより、セグメント領域ＡＳの光量をより一層多くすることができる。特に、本発明の第１実施形態では、この壁部１２ｗが黒色であるので、ユーザが複数のセグメント領域ＡＳを視認する際に、視認される光と壁部１２ｗの黒との対比が明確になり、セグメント領域ＡＳの輪郭を鮮明にすることができる。
【００５０】
最後に、透過散乱層１４は、透光性を有しており、図１、図５ないし図７に示すように、シート状に形成され、光量調整シート１３を挟んで光源５５とは反対側の位置に設けられている。さらに、透過散乱層１４は、第２開口部１２ｋから透過散乱層１４に入射した光を散乱させて、図示していない表示部（表示パネル）側に放射している。これらにより、第２開口部１２ｋから透過散乱層１４を透過して図示していない表示部（表示パネル）に到達するセグメント領域ＡＳの光がより均一なものとなる。このことにより、従来例と比較して、光源５５と表示部（表示パネル）との距離が短いにも関わらず、表示部（表示パネル）の明るさのムラを低減することができる。
【００５１】
以上により、本発明の第１実施形態のセグメント表示装置１０１は、光量調整シート１３に設けられた調光パターンＰＥ１により、光源５５からの光が遮蔽、透過、反射或いは散乱され、しかも反射或いは散乱された光を、第１保持部材１１の斜面１１ｓや壁面１１ｐの反射部により、光量調整シート１３側へ再び導くようにしている。このため、特に光源５５の上部に対応する部分の光の透過が弱められ、光源５５からの光が調光されて、第２保持部材１２側に導かれるようになる。このことにより、第２開口部１２ｋから透過散乱層１４を透過して表示部（表示パネル）に到達するセグメント領域ＡＳの光がより均一なものとなる。したがって、従来例と比較して、光源５５と表示部（表示パネル）との距離が短いにも関わらず、表示部（表示パネル）の明るさのムラを低減することができ、製品の厚みが薄くセグメント領域ＡＳの明るさの均一化が図られるセグメント表示装置１０１を提供することができる。
【００５２】
また、ベースシート１３ｆが透光性を有して光通過部１３ｔを構成しているので、調光パターンＰＥ１が設けられた部分以外を透過する光は、光通過部１３ｔを介して第２保持部材１２側に全て導かれるようになる。このため、第２開口部１２ｋから透過散乱層１４を透過して表示部（表示パネル）に到達するセグメント領域ＡＳの光量をより多くすることができる。このことにより、セグメント表示装置１０１のそれぞれのセグメントの視認性を向上させることができる。
【００５３】
また、遮光部１６及び散乱半透過層１７を、ベースシート１３ｆの片側主面に形成するので、遮光部１６及び散乱半透過層１７を作製する際に、ベースシート１３ｆを反転することなしに、片側から加工することができる。このことにより、セグメント表示装置１０１の製造を容易にすることができる。
【００５４】
また、光源５５からベースシート１３ｆに向けて長手方向ＲＤに沿った斜面１１ｓと、長手方向ＲＤと直交した方向（短手方向）ＳＤに対向する壁面１１ｐとを設けた第１保持部材１１なので、第１保持部材１１で反射させる光を効率よく長手方向ＲＤに導くことができる。特に、第１保持部材１１は、光を反射する白色で形成されているので、光をより効率よく反射することができる。このため、セグメント領域ＡＳの周辺部分の光量を増加させることができる。このことにより、第２開口部１２ｋから透過散乱層１４を透過して表示部（表示パネル）に到達するセグメント領域ＡＳの光がより一層均一なものとすることができる。
【００５５】
また、第１保持部材１１の上面と対向する部分のベースシート１３ｆには、遮光層１８が設けられているので、遮光層１８が設けられた部分、つまり複数のセグメント領域ＡＳを分けているベースシート１３ｆの部分に対して、１つのセグメント領域ＡＳからの光が、他のセグメント領域ＡＳに漏れようとしても、この遮光層１８により遮光される。このことにより、隣り合うセグメント領域ＡＳへの光のお互いの漏れを防止することができ、セグメント領域ＡＳの光量をより一層多くすることができるとともに、セグメント表示装置１０１のそれぞれのセグメントの視認性をより向上させることができる。
【００５６】
また、第２保持部材１２が、複数のセグメント領域ＡＳ同士を分割する壁部１２ｗを備えており、この壁部１２ｗは、遮光性を有している。これにより、光量調整シート１３を透過してきた全ての光が、他のセグメント領域ＡＳに漏れることがなく、透過散乱層１４側に導かれるようになる。このことにより、セグメント領域ＡＳの光量をより一層多くすることができる。
【００５７】
また、突部１１ｔが孔部１２ｒに挿通された後、突部１１ｔが変形させられることにより、第１保持部材１１と第２保持部材１２とが一体化されているので、第１保持部材１１と第２保持部材１２とでベースシート１３ｆを確実にしかも強く挟み込むことができる。このことにより、第１保持部材１１と第２保持部材１２との間から光が漏れることを低減することができ、隣り合うセグメント領域ＡＳへの光のお互いの漏れをより防止することができる。
【００５８】
［第２実施形態］
図１２は、本発明の第２実施形態における１つのセグメント領域ＡＳを説明する模式図であって、その断面図である。図１３は、本発明の第２実施形態における光量調整シート２３の調光パターンＰＥ２を説明する模式図であって、１つのセグメント領域ＡＳにおける光量調整シート２３の底面図である。図１４は、本発明の第２実施形態における１つのセグメント領域ＡＳを説明する模式図であって、図１２に示す断面図における光の光路の一例を示した図である。また、第２実施形態のセグメント表示装置１０２は、第１実施形態に対し、ベースシート２３ｆと光通過部２３ｔの構成が主に異なる。なお、第１実施形態と同一構成については、同一符号を付して詳細な説明は省略する。
【００５９】
本発明の第２実施形態のセグメント表示装置１０２は、第１実施形態（第１表示領域ＤＳ１）と同様に、複数のセグメント領域ＡＳを有し、１つのセグメント領域ＡＳには、図１２ないし図１４に示すように、基台１９に支持された光源５５と、光源５５と離間して対向配置される光量調整シート２３と、第１開口部１１ｋを有して光源５５を収容する第１保持部材１１と、第１開口部１１ｋに対応する第２開口部１２ｋが設けられた第２保持部材１２と、光量調整シート２３と離間して対向配置される透過散乱層１４と、を備えて構成される。そして、平面視にて矩形状（長方形状）をなした、これらセグメント領域ＡＳの組み合わせによって、文字や記号、絵柄等の表示パターンを照光表示できるようにしている。実際にセグメント表示を行う電子機器等に適用する場合、図示はしていないが、透過散乱層１４の上方に表示部（表示パネル）を設ける。
【００６０】
先ず、光源５５は、第１実施形態と同様に、上面発光方式のチップ形のＬＥＤ（発光ダイオード、Light Emitting Diode）を用いており、図１２及び図１４に示すように、プリント配線板（ＰＣＢ）等の基台１９に搭載され、はんだ付け等により、基台１９に固定支持されている。
【００６１】
次に、光量調整シート２３は、図１２及び図１４に示すように、半透明の材料からなるベースシート２３ｆと、ベースシート２３ｆの一面側（下面側）に形成され光源５５に対応して設けられた調光パターンＰＥ２と、ベースシート２３ｆに設けられ光源５５からの光が通過する光通過部２３ｔと、を有して構成される。そして、この光量調整シート２３は、光源５５と離間して対向配置されている。
【００６２】
ベースシート２３ｆは、半透明性を有する材質を用いており、例えばポリエチレン樹脂（ＰＥ）等の合成樹脂を好適に用いている。このため、このベースシート２３ｆにより、ベースシート２３ｆに入光した光を半透過させるとともに散乱させることができる。また、ベースシート２３ｆには、図１３に示すように、調光パターンＰＥ２が設けられていない部分で、長手方向の左右に２箇所、光通過部２３ｔが形成されている。この光通過部２３ｔは、ベースシート２３ｆに孔を設けることにより容易に形成することができる。このため、この孔の開口の大きさを容易に変えることができ、透過散乱層１４側に通過する光を調整することができる。これらにより、光源５５の上部に対応する部分の光の透過とセグメント領域ＡＳの周辺部分の光の通過を調整することができる。なお、合成樹脂材料として、ポリエチレン樹脂を用いたが、これに限るものではなく、例えば半透明に調整されたポリウレタン樹脂やシリコーン樹脂等を用いても良い。
【００６３】
調光パターンＰＥ２は、図１２及び図１４に示すように、光源５５から透過散乱層１４側へ向かう光を制限する遮光部２６と、遮光部２６よりも光源５５側に配設され光源５５からの光を散乱させる散乱半透過層２７と、を備えて構成され、遮光部２６及び散乱半透過層２７が、ベースシート２３ｆの一面側（光源５５側）に形成されている。また、図１３に示すように、遮光部２６は、十字のパターン形状で形成されている。また、散乱半透過層２７は、遮光部２６を全て覆うようにして構成され、同様な十字のパターン形状で形成されている。なお、図示はしていないが、光源５５は、遮光部２６の十字の交差する付近に対応して配置されている。
【００６４】
調光パターンＰＥ２の作製は、先ず、スクリーン印刷等の手法を用いて、カーボン等の粉末が含有されたインクをベースシート２３ｆの片側主面に塗布し、このインクを硬化させることにより、遮光部２６を形成する。次に、同じスクリーン印刷等の手法を用いて、二酸化チタン、二酸化ジルコニウム（ジルコニア）や炭酸カルシウム等の粉末が含有されたインクをベースシート２３ｆの片側主面に塗布し、このインクを硬化させることにより、散乱半透過層２７を形成する。これにより、遮光部２６及び散乱半透過層２７をベースシート２３ｆの片側主面に作製するので、ベースシート２３ｆを反転することなしに、片側から加工することができる。このことにより、セグメント表示装置１０２の製造を容易にすることができる。また、遮光部２６がカーボン等の粉末が含有されているので黒色に形成されるため、遮光部２６の遮光性が向上している。また、散乱半透過層２７が二酸化チタン等の粉末が含有されているので、白色で形成されるため、散乱半透過層２７の光散乱性が向上している。
【００６５】
以上のように構成された光量調整シート２３により、図１４に示すように、光源５５から放射された光の一部は、散乱半透過層２７で、散乱半透過層２７内を透過して散乱させられるとともに、光源５５側にも反射され、他の光の一部は、遮光部２６により遮蔽される。そして、散乱半透過層２７により散乱された散乱光の一部は、ベースシート２３ｆに入射して、透過或いは散乱して透過散乱層１４側へ放射されるとともに、基台１９や第１保持部材１１に反射して、散乱半透過層２７の外側に位置する光通過部２３ｔを通過して透過散乱層１４側へ放射される。なお、図示はしていないが、光源５５からの直接の光でない散乱光や反射光が、再び散乱半透過層２７や遮光部２６に到達した際は、同様にして、散乱或いは反射されて、上述したような軌跡を繰り返して、透過散乱層１４側へ放射される。
【００６６】
次に、第１保持部材１１は、図１２及び図１４に示すように、基台１９と光量調整シート２３との間に配置され、基台１９と第１保持部材１１とで、光源５５を収容する空間を構成し、この空間の基台１９と対向する位置に、第１開口部１１ｋを有している。この第１開口部１１ｋは、光源５５からの光（透過光、反射光、拡散光及び直接光）が通過する部分にあたるが、図１３に示すように、光量調整シート２３により覆われており、光量調整シート２３を透過するか光通過部２３ｔを通過するかして第２保持部材１２側に導かれる。
【００６７】
また、第１保持部材１１には、図１２に示すように、光源５５からベースシート２３ｆに向けて傾斜した斜面１１ｓが、第１開口部１１ｋの長手方向ＲＤ（図１２に示す方向）に沿って設けられているとともに、第１実施形態と同様に、長手方向ＲＤと直交した方向、つまり短手方向ＳＤ（図１３に示す方向）に、壁面１１ｐがそれぞれ対向して設けられている。
【００６８】
また、本発明の第２実施形態では、第１保持部材１１は、光を反射する白色で形成されており、上述した空間を形成している第１保持部材１１の内壁（斜面１１ｓや壁面１１ｐ）が反射部となり、散乱半透過層２７で反射散乱された光を散乱反射し、第２開口部１２ｋ側へ導いている。また、第１保持部材１１に光源５５から第１保持部材１１に直接あたった光も散乱反射し、第２開口部１２ｋ側へ導いている。また、第１保持部材１１の作製は、第１実施形態と同様な方法で行われる。
【００６９】
以上のように構成されたセグメント領域ＡＳでは、図１４に示すように、光量調整シート２３に設けられた調光パターンＰＥ２により、光源５５からの光が遮蔽、透過、反射或いは散乱され、しかも反射或いは散乱された光を、第１保持部材１１の斜面１１ｓや壁面１１ｐの反射部により、光量調整シート２３側へ再び導くようにしている。このため、光源５５からの光が調光されて、第２保持部材１２側に導かれるようになる。このことにより、特に光源５５の上部に対応する部分の光の透過が弱められ、第２保持部材１２側に導かれるセグメント領域ＡＳの光がより均一なものとなる。
【００７０】
また、図１２ないし図１４に示すように、光源５５からベースシート２３ｆに向けて長手方向ＲＤに沿った斜面１１ｓと、長手方向と直交した方向（短手方向）ＳＤに対向する壁面１１ｐ（図示していない）とを設けた第１保持部材１１なので、第１保持部材１１で反射させる光を効率よく長手方向ＲＤに導くことができる。特に、第１保持部材１１は、光を反射する白色で形成されているので、光をより効率よく反射することができる。このため、セグメント領域ＡＳの周辺部分の光量を増加させることができる。このことにより、第２保持部材１２側に導かれるセグメント領域ＡＳの光がより一層均一なものとすることができる。
【００７１】
次に、第２保持部材１２は、図１２及び図１４に示すように、光量調整シート２３と透過散乱層１４との間に配置され、光量調整シート２３を透過してきた光を透過散乱層１４側に導いている。そして、この第２保持部材１２と光量調整シート２３とで空間を構成し、この空間の光量調整シート２３と対向する位置に、第２開口部１２ｋを有している。この第２開口部１２ｋは、光量調整シート２３を透過してきた透過光が通過する部分にあたるが、図１２に示すように、透過散乱層１４により覆われているので、この透過光の全ては、透過散乱層１４を透過して散乱され、図示していない表示部（表示パネル）側に導かれる。
【００７２】
最後に、透過散乱層１４は、透光性を有しており、第１実施形態と同様に、シート状に形成され、光量調整シート２３を挟んで光源５５とは反対側の位置に設けられている。さらに、透過散乱層１４は、第２開口部１２ｋから透過散乱層１４に入射した光を散乱させて、図示していない表示部（表示パネル）側に放射している。これらにより、第２開口部１２ｋから透過散乱層１４を透過して図示していない表示部（表示パネル）に到達するセグメント領域ＡＳの光がより均一なものとなる。このことにより、従来例と比較して、光源５５と表示部（表示パネル）との距離が短いにも関わらず、表示部（表示パネル）の明るさのムラを低減することができる。
【００７３】
以上により、本発明の第２実施形態のセグメント表示装置１０２は、光量調整シート２３に設けられた調光パターンＰＥ２により、光源５５からの光が遮蔽、透過、反射或いは散乱され、しかも反射或いは散乱された光を、第１保持部材１１の斜面１１ｓや壁面１１ｐの反射部により、光量調整シート２３側へ再び導くようにしている。このため、特に光源５５の上部に対応する部分の光の透過が弱められ、光源５５からの光が調光されて、第２保持部材１２側に導かれるようになる。このことにより、第２開口部１２ｋから透過散乱層１４を透過して表示部（表示パネル）に到達するセグメント領域ＡＳの光がより均一なものとなる。したがって、従来例と比較して、光源５５と表示部（表示パネル）との距離が短いにも関わらず、表示部（表示パネル）の明るさのムラを低減することができ、製品の厚みが薄くセグメント領域ＡＳの明るさの均一化が図られるセグメント表示装置１０２を提供することができる。
【００７４】
また、遮光部２６及び散乱半透過層２７を、ベースシート２３ｆの片側主面に形成するので、遮光部２６及び散乱半透過層２７を作製する際に、ベースシート２３ｆを反転することなしに、片側から加工することができる。このことにより、セグメント表示装置１０２の製造を容易にすることができる。
【００７５】
また、光源５５からベースシート２３ｆに向けて長手方向ＲＤに沿った斜面１１ｓと、長手方向ＲＤと直交した方向（短手方向）ＳＤに対向する壁面１１ｐとを設けた第１保持部材１１なので、第１保持部材１１で反射させる光を効率よく長手方向ＲＤに導くことができる。特に、第１保持部材１１は、光を反射する白色で形成されているので、光をより効率よく反射することができる。このため、セグメント領域ＡＳの周辺部分の光量を増加させることができる。このことにより、第２開口部１２ｋから透過散乱層１４を透過して表示部（表示パネル）に到達するセグメント領域ＡＳの光がより一層均一なものとすることができる。
【００７６】
なお、本発明は上記実施形態に限定されるものではなく、例えば次のように変形して実施することができ、これらの実施形態も本発明の技術的範囲に属する。
【００７７】
図１５は、本発明の第１実施形態のセグメント表示装置１０１の変形例を説明する断面模式図であって、図８に示す１つのセグメント領域ＡＳに対応した変形例１のセグメント表示装置Ｃ１１１である。図１６は、本発明の第１実施形態のセグメント表示装置１０１の変形例を説明する断面模式図であって、図８に示す１つのセグメント領域ＡＳに対応した変形例２のセグメント表示装置Ｃ１２１である。図１７は、本発明の第１実施形態のセグメント表示装置１０１の変形例を説明する底面模式図であって、図１７（ａ）は、図９に対応した変形例３であり、図１７（ｂ）は、図９に対応した変形例４であり、図１７（ｃ）は、図９に対応した変形例５である。図１８は、本発明の実施形態のセグメント表示装置の変形例９のセグメント表示装置Ｃ１９１を説明する図であって、１つのセグメント領域ＡＳの断面模式図である。
【００７８】
＜変形例１＞＜変形例２＞
上記第１実施形態では、ベースシート１３ｆの一面側（下面側）に調光パターンＰＥ１が形成されるように構成したが、図１５に示すように、ベースシート１３ｆの一面側（下面側）に散乱半透過層１７を設け、ベースシート１３ｆの他面側（上面側）に遮光部１６を設けた光量調整シートＣ１１３の構成にしても良い。また、図１６に示すように、ベースシート１３ｆの他面側（上面側）に調光パターンＰＥ１が形成された光量調整シートＣ２１３の構成にしても良い。この場合には、ベースシート１３ｆの上面に形成された散乱半透過層１７上に、遮光部１６が設けられる。
【００７９】
＜変形例３＞＜変形例４＞＜変形例５＞
上記第１実施形態では、図９に示すような光量調整シート１３の調光パターンＰＥ１であったが、図１７（ａ）に示す調光パターンＰＥＣ３であっても良いし、図１７（ｂ）に示す調光パターンＰＥＣ４であっても良いし、図１７（ｃ）に示す調光パターンＰＥＣ５であっても良い。また、同様にして、上記第２実施形態の光量調整シート２３の調光パターンＰＥ２の替わりに、調光パターンＰＥＣ３、調光パターンＰＥＣ４或いは調光パターンＰＥＣ５であっても良い。
【００８０】
＜変形例６＞
上記実施形態では、シート状の透過散乱層１４を設けた構成にしたが、第２保持部材１２の上に配設される表示パネルの第２保持部材１２側の面に、透過散乱層を設けても良い。その際には、塗装或いは印刷で作製するのが好ましい。
【００８１】
＜変形例７＞
上記実施形態では、第１保持部材１１を光が反射する白色で形成し、第１保持部材１１の内壁（斜面１１ｓや壁面１１ｐ）を反射部としたが、第１保持部材１１の内壁（斜面１１ｓや壁面１１ｐ）に光が反射する反射膜を形成して、反射部としても良い。
【００８２】
＜変形例８＞
上記実施形態では、第１保持部材１１の斜面１１ｓを、ある角度を有した傾斜面として構成したが、斜面１１ｓは、曲面でも構成しても良いし、階段状になって傾斜を有した構成でも良い。
【００８３】
＜変形例９＞
上述した実施形態および変形例においては、いずれも、ベースシート（１３ｆ、２３ｆ）とは別に散乱半透過層（１７、２７）を印刷等で形成する場合について説明したが、ベースシートＣ３ｆ（図１８に示す）に散乱半透過層の機能を持たせることも可能である。すなわち、この場合には、ベースシートＣ３ｆとして、反射光と透過光の双方を散乱させる白色シートを用いる。そして、図１８に示すように、この白色シート（ベースシートＣ３ｆ）の他面側（上面側）に、遮光部Ｃ６を設け、この遮光部Ｃ６が形成された領域における白色シートを散乱半透過層Ｃ７とし、遮光部Ｃ６と散乱半透過層Ｃ７とで調光パターンＰＥＣ９を構成する。また、遮光部Ｃ６が形成された領域の外側に位置する部分の白色シート（ベースシートＣ３ｆ）には、光通過部Ｃ３ｔを構成する孔部を形成する。このように、白色シート（ベースシートＣ３ｆ）に、遮光部Ｃ６と光通過部Ｃ３ｔ（孔部）とを設けることで、光量調整シートＣ９３を構成しても良い。
【００８４】
本発明は上記実施の形態に限定されず、本発明の目的の範囲を逸脱しない限りにおいて適宜変更することが可能である。
【符号の説明】
【００８５】
１１  第１保持部材
１１ｋ  第１開口部
１１ｓ  斜面
１１ｐ  壁面
１１ｔ  突部
１２  第２保持部材
１２ｋ  第２開口部
１２ｒ  孔部
１２ｗ  壁部
１３、２３、Ｃ１１３、Ｃ２１３、Ｃ９３  光量調整シート
１３ｆ、２３ｆ、Ｃ３ｆ  ベースシート
１３ｔ、２３ｔ、Ｃ３ｔ  光通過部
１４  透過散乱層
５５  光源
１６、２６、Ｃ６  遮光部
１７、２７、Ｃ７  散乱半透過層
１８  遮光層
１９  基台
１０１、１０２、Ｃ１１１、Ｃ１２１、Ｃ１９１  セグメント表示装置
ＡＳ  セグメント領域
ＰＥ１、ＰＥ２、ＰＥＣ３、ＰＥＣ４、ＰＥＣ５、ＰＥＣ９  調光パターン
ＲＤ  長手方向
ＳＤ  長手方向と直交した方向（短手方向）
【図１】
2014026065.tif 000003
【図２】
2014026065.tif 000004
【図３】
2014026065.tif 000005
【図４】
2014026065.tif 000006
【図５】
2014026065.tif 000007
【図６】
2014026065.tif 000008
【図７】
2014026065.tif 000009
【図８】
2014026065.tif 000010
【図９】
2014026065.tif 000011
【図１０】
2014026065.tif 000012
【図１１】
2014026065.tif 000013
【図１２】
2014026065.tif 000014
【図１３】
2014026065.tif 000015
【図１４】
2014026065.tif 000016
【図１５】
2014026065.tif 000017
【図１６】
2014026065.tif 000018
【図１７】
2014026065.tif 000019
【図１８】
2014026065.tif 000020
【図１９】
2014026065.tif 000021